(57)【要約】【課題】本発明は、２次元コードの読み取り状態を統計処理し、使用者の読み取り習熟度を把握できるようにすると共に、個々人の読み取り操作の改善指針を把握可能にし、作業者が２次元コードの適切な読み取り位置を効率的に学習できるようにする。【解決手段】２次元コードを光学的に画像情報として読み取る２次元コード読み取り部と、前記画像情報の読取状態を解析する解析部と、個人識別情報を入力する入力部と、前記個人識別情報に対応付けて前記読取状態を記憶データとして保持する記憶部と、前記記憶データを出力する出力部とを備えている。【選択図】図１
2005284801.tif 000002
【特許請求の範囲】
【請求項１】
２次元コードを光学的に画像情報として読み取る２次元コード読み取り部と、前記画像情報の読取状態を解析する解析部と、操作者の個人識別情報を入力する入力部と、前記個人識別情報に対応付けて前記読取状態を記憶する記憶部と、前記記憶部に記憶した情報を出力する出力部とを備えた携帯型光学情報読取装置。
【請求項２】
解析部は、画像情報から２次元コードを復号した時の誤り訂正の状態を解析することを特徴とする請求項１記載の携帯型光学情報読取装置。
【請求項３】
解析部は、画像情報から携帯型光学情報読取装置と２次元コードとの距離や角度などの読取状態を解析することを特徴とする請求項１記載の携帯型光学情報読取装置。
【請求項４】
個人識別情報に対応付けて記憶した複数の読取状態を統計処理してその演算結果を記憶部に記憶する演算部と、前記演算部が演算して前記記憶部に記憶した演算結果を出力する出力部とを備えた請求項１から３のいずれか１項に記載の携帯型光学情報読取装置。
【請求項５】
記憶部を携帯型光学情報読取装置から着脱可能とした請求項１から４のいずれか１項に記載の携帯型光学情報読取装置。
【請求項６】
記憶部に記憶されている情報のうち統計処理を行う情報を指定する演算条件入力部を備え、演算部は前記演算条件入力部により指定された情報について統計処理を行う請求項１から５のいずれか１項に記載の携帯型光学情報読取装置。
【請求項７】
入力部は複数の個人識別情報を入力し、記憶部は前記複数の個人識別情報に対応付けて複数の読取状態を記憶し、演算部は前記複数の個人識別情報に対応付けて複数の読取状態を統計処理してその演算結果を前記記憶部に記憶し、出力部は前記演算部の演算結果を出力する請求項１から６のいずれか１項に記載の携帯型光学情報読取装置。
【発明の詳細な説明】
【技術分野】
【０００１】
本発明は２次元コードの携帯型読み取り装置に関し、２次元コードの読み取り状態および作業者の個人識別情報を出力し、各作業者の読み取り作業の習熟度を把握することができるようにした携帯型光学情報読取装置に関するものである。
【背景技術】
【０００２】
近年、ＰＯＳ（Ｐｏｉｎｔ  Ｏｆ  Ｓａｌｅｓ）システムの普及に伴い、バーコードの利便性は一層高まり、既に、物流や製造やサービス等の各分野において広く浸透している。製品情報をバーコード上に符号化し、コンピュータで処理することによって、多量の商品の効率的な運用管理が実現している。また、最近では、より小さなスペースにより多くの情報を保持したいという要望から、２次元コード、すなわち２次元方向に情報を有するコードの開発が盛んになっている。
【０００３】
このようなコードの読み取り装置として、手持ち式の携帯型光学情報読取装置（以下、ＨＨＴ（ハンディーターミナル）と記す）が広く採用されている。このＨＨＴは、使用者がコード上にその読み取り面を所定の距離を置いて対向させることでコード情報の読み取りを行う。
【０００４】
なお、ＨＨＴにおいて、読み取り条件が悪い場合には、読み取りが行えない場合がある。例えば、バーコードや２次元コード等のコードとＨＨＴとの距離が遠すぎたり、コードに対するＨＨＴの読み取り角度が大きすぎたり、あるいは作業環境によっては、コードに室内照明が全反射したり、読み取りのための照度が不十分であったりした場合には、コードの読み取りができない。
【０００５】
このように、コードの読み取りができない場合には、読み取りができるまで、ＨＨＴの使用者がＨＨＴの位置を移動させて読み取り位置をコードに近づけたり、コードに対する読み取り角度を変更するなどしてその調整をする必要がある。
【０００６】
また、上記したＨＨＴを活用した各種の管理システム（物流管理、製造管理、食品管理など）のシステム運用管理者にとっては、システム運用の効率化を図るため、各作業者の作業習熟度や作業効率を把握する事に加えて、システム運用方法として、２次元コードの貼り付け位置や高さ、また作業環境である照明位置や照度などからなる作業パラメータを最適化することも必要となる。
【０００７】
従来の携帯型光学情報読取装置では、２次元コードにおける読み取りの基準シンボルの読み取り状態を、あらかじめデータベース化された所定の基準と比較する条件判断手段と前記読み取り状態が前記所定の基準内にない場合に、使用者にそれを通知する通知手段とを備えて構成されている。使用者は、再読み取り時に、その都度、前記通知に従って適正な位置に読み取り装置を位置させることができるようにしている（例えば特許文献１参照）。
【０００８】
図４は上記した従来のＨＨＴのブロック図を示しており、３１はＣＣＤエリアセンサを含むバーコード読み取り部、３２は既存のシンボルデータ３６に基づいて読み取ったバーコードから基準シンボルを抽出するシンボル抽出部、３３は抽出シンボルの特徴を数値化し、これに基づいてＨＨＴの読み取り状態を解析する読み取り状態解析部、３４は読み取り状態解析部３３で得られた数値と条件データ３７として予め設けられた基準値とを比較する条件比較部、３５は前記数値が基準値から外れている場合に、対応するエラーを通知するエラー通知部である。
【０００９】
以上のように構成された従来のＨＨＴについて、その動作を説明する。
【００１０】
シンボル抽出部３２はバーコード読み取り部３１で読み取ったバーコードの画像データから各種２次元コードの特徴となる基準シンボルデータを蓄積したシンボルデータ３６内のデータに基づいて基準シンボルを決定する。抽出された基準シンボルの特徴は、読み取り状態解析部３３によって数値化され、該数値に基づいてＨＨＴの読み取り状態、すなわち、ＨＨＴのバーコードに対する傾きや距離が解析される。条件データ３７には、ＨＨＴの読み取り条件が記録されている。条件比較部３４は前記読み取り解析部３３で得られたＨＨＴの読み取り状態が、条件データ３７の範囲データに照らし、適切であるか否かの判断をする。読み取り状態が、条件データ３７の範囲データを超えたものである場合、その条件に対応する信号をエラー通知部３５に出力する。エラー通知部３５は読み取り状態が不適切である場合に、読み取り状態が適切になるように、ＨＨＴの読み取り状態を変えるようにその都度使用者に指示を出す。
【特許文献１】特開平１１−２８２９４７号公報
【発明の開示】
【発明が解決しようとする課題】
【００１１】
しかし、従来の携帯型光学情報読取装置（ＨＨＴ）では、１回の読み取り作業に対する改善方法は報知されるが、使用者がどの程度の読み取り習熟度に達しているかを把握できない。また、複数回読み取りを行った結果に対する読み取りに関する改善指針はわからない。また、上記に加えて、システム運用上、運用システムの作業パラメータの最適化を行いたいという課題を有していた。
【００１２】
本発明は、２次元コードの読み取り状態と作業者の個人識別情報を関連付けて出力し、各作業者の読み取り作業の習熟度を把握することができるようにすると共に、各作業者の読み取り作業に対する改善指針が把握できるようにし、作業者が適切な読み取り位置を効率的に学習できることが可能な携帯型光学情報読取装置を提供することを目的とする。
【課題を解決するための手段】
【００１３】
上記課題を解決するために、本発明の携帯型光学情報読取装置は、２次元コードを光学的に画像情報として読み取る２次元コード読み取り部と、前記画像情報の読取状態を解析する解析部と、操作者の個人識別情報を入力する入力部と、前記個人識別情報に対応付けて前記読取状態を記憶する記憶部と、前記記憶部に記憶した情報を出力する出力部とを備えたものである。
【００１４】
また、本発明の携帯型光学情報読取装置は、解析部は、画像情報から２次元コードを復号した時の誤り訂正の状態を解析することを特徴とするものである。
【００１５】
また、本発明の携帯型光学情報読取装置は、解析部は、画像情報から携帯型光学情報読取装置と２次元コードとの距離や角度などの読取状態を解析することを特徴とするものである。
【００１６】
また、本発明の携帯型光学情報読取装置は、個人識別情報に対応付けて記憶した複数の読取状態を統計処理してその演算結果を記憶部に記憶する演算部と、前記演算部が演算して前記記憶部に記憶した演算結果を出力する出力部とを備えたものである。
【００１７】
また、本発明の携帯型光学情報読取装置は、記憶部を携帯型光学情報読取装置から着脱可能としたものである。
【００１８】
また、本発明の携帯型光学情報読取装置は、記憶部に記憶されている情報のうち統計処理を行う情報を指定する演算条件入力部を備え、演算部は前記演算条件入力部により指定された情報について統計処理を行うものである。
【００１９】
また、本発明の携帯型光学情報読取装置は、入力部は複数の個人識別情報を入力し、記憶部は前記複数の個人識別情報に対応付けて複数の読取状態を記憶し、演算部は前記複数の個人識別情報に対応付けて複数の読取状態を統計処理してその演算結果を前記記憶部に記憶し、出力部は前記演算部の演算結果を出力するものである。
【発明の効果】
【００２０】
以上のように、本発明は、２次元コードなどのコードの読み取り状態および作業者の個人識別情報を関連付けて出力し、各作業者の読み取り作業の習熟度を把握することができると共に、各作業者の読み取り作業に対する改善指針が把握でき、作業者が適切な読み取り位置を効率的に学習することができる携帯型光学情報読取装置を提供することができる。
【発明を実施するための最良の形態】
【００２１】
以下、本発明の実施の形態について、図１から図３を用いて説明する。なお、本実施の形態においては、２次元コードの読み取り作業からなる物品管理などの運用システムにおいて、２次元コード読み取り用の携帯型光学情報読取装置（以下ＨＨＴ（ハンディーターミナル）と記す）に適用した例を示す。
【００２２】
（実施の形態１）
図１と図２を用いて、本実施の形態のＨＨＴについて説明する。
【００２３】
図１は、本実施の形態のＨＨＴの概略構成を示すブロック図である。図２は、本実施の形態のＨＨＴにおける２次元コードの読み取り手順についてのフローチャートである。
【００２４】
図１において、１０は２次元コードに光を投光してＣＣＤセンサなどで２次元コードを画像情報として読み取る２次元コード読み取り部、１１は２次元コード読み取り部１０で読み取った画像情報を解析して読取状態を演算する解析部、１２は２次元コードの読み取り作業を行う作業者の個人識別情報を入力する入力部、１３は入力部１２により入力された個人識別情報と解析部１１により解析された読取状態とを対応付けて記憶データ１５として保持する記憶部、１４は記憶部１３に保持された記憶データ１５を表示などにより出力する出力部、１６は記憶データ１５として保持した複数の読取状態を統計処理してその演算結果を記憶データ１５として記憶部１３に追加保持する演算部、１７は記憶部１３に記憶されている記憶データ１５の全ての読取状態のデータのなかで、演算部１６が統計処理する対象範囲を入力する演算条件入力部を示す。
【００２５】
以上のように構成されたＨＨＴについて、その動作を説明する。
【００２６】
まず、図２に示すステップ１０１において、ＨＨＴを操作して２次元コードの読み取り作業を行う作業者は、２次元コードの読み取り作業を行う前に、運用システム上で管理された作業者ＩＤ番号などの作業者を識別可能な個人識別情報を入力部１２により入力し、入力部１２は入力した個人識別情報を記憶部１３に出力するとともにその個人識別情報を記憶データ１５としてメモリ素子からなる記憶部１３に保存する。
【００２７】
入力部１２に入力された作業者ＩＤ番号を有する作業者が、ＨＨＴに設けられた読取開始キー（図示せず）を押下するなどして２次元コードの読み取り操作を開始すると、２次元コード読み取り部１０は２次元コード（ＱＲコード、マキシコード、ベリコードなど）に光を投光し、前記２次元コードが反射した光をＣＣＤなどで受光して画像情報に変換する（ステップ１０２）。
【００２８】
次に、解析部１１は、２次元コード読み取り部１０が生成した画像情報に基づいてその読み取り状態を解析し（ステップ１０３）、その結果を２次元コードの読取状態として記憶部１３に出力する。
【００２９】
なお、読取状態の例として、２次元コードの特徴となるシンボルの位置や向きを解析出来なければレベル１とし、解析出来ればレベル２とし、さらに２次元コードのデータ内容まで正常に読み取れた場合にはレベル３とするなど、読み取りのレベルを予め決めておけばよい。
【００３０】
次に、記憶部１３は、入力部１２から入力した個人識別情報と、解析部１１から入力した読取状態とを相互に関連付けて記憶データ１５として保存する（ステップ１０４）。
【００３１】
そして、出力部１４の一例であるＬＣＤ（Ｌｉｑｕｉｄ  Ｃｒｙｓｔａｌ  Ｄｉｓｐｌａｙ）に、記憶データ１５として記憶部１３に保存されている個人識別情報と読取状態とを表示する（ステップ１１１）。
【００３２】
以上のように、本実施の形態のＨＨＴによれば、入力部１２で入力した個人識別情報と２次元コードを読み取った時の読み取り状態とを関連付けて記憶データ１５として記憶部１３に保持し、出力部１４であるＬＣＤに表示することができる。そして、この表示された読取状態を作業者がその都度確認し、また、繰り返し２次元コードを読み取り、表示された読取状態を複数収集してパソコンなどに入力し、この入力した情報に基づいて読取状態の平均値演算など統計処理を行うことができる。このようにすることで、各作業者の読み取り作業の習熟度を把握することが可能となる。
【００３３】
次に、読取状態の他の例として、ＨＨＴが２次元コードの誤りビット数を算出してその結果を出力する場合について説明する。
【００３４】
解析部１１は、２次元コード読み取り部１０が生成した画像情報に基づいて読み取り対象となる２次元コードの特徴となるシンボルの位置や向きを解析する。そして、その解析結果と前記画像情報とから前記２次元コードに記載されたデータの情報量や誤り訂正レベルを抽出する。なお、ＱＲコードの場合、誤り訂正方式としては、一般的に知られているリードソロモン法が適用される。
【００３５】
次に、解析部１１は、前記誤り訂正レベル（誤りの復元能力に応じて４段階）に応じて、前記画像情報の誤り検出を行い、誤りビット数を算出する。そして、その誤りビット数を読取状態として記憶部１３に出力する。
【００３６】
そして、入力部１２で入力した個人識別情報と、解析部１１で求めた２次元コードを読み取った時の誤りビット数を関連付けて記憶データ１５として記憶部１３に保持し、この記憶部１３に記憶している誤りビット数を出力部１４により出力することができる。
【００３７】
なお、出力部１４により出力される誤りビット数は、作業者が２次元コード読み取り部１０で読み取った時のＨＨＴと２次元コードの距離や角度とが設計値から外れたり、環境照明の角度が不適切で２次元コード面で光が反射した場合には増加するものである。また、作業者が適切に２次元コードを読み取った場合は、誤りビット数はゼロとなるものである。
【００３８】
以上により、出力部１４により誤りビットを出力することで各作業者の読み取り作業の習熟度を把握することができるようになり、かつ、読取状態がより直接的に数値データ化されることで、より客観的でかつ詳細に読み取り状態が把握できるようになる。
【００３９】
次に、ＨＨＴと２次元コードとの相対距離や角度などに基づく読取状態の解析を行う場合について説明する。
【００４０】
解析部１１は、２次元コード読み取り部１０が生成した画像情報に基づいて、２次元コードとの相対距離や角度などの読取状態を解析する。通常、ＱＲコードの場合には、特許文献１にも記載されているように、読み取り対象となる２次元コードの特徴となるシンボル（角部の３つの方形マーク）の図形情報（マークの大きさ、マークの間隔など）から２次元シンボルとＨＨＴの相対距離や傾きを求める。
【００４１】
そして、上記２次元シンボルとＨＨＴとの相対距離や傾きと２次元コード読み取り時に理想とされる設計値との差を演算部１６で演算して記憶部１３に出力する。
【００４２】
すなわち、入力部１２で入力した個人識別情報と、２次元コードとＨＨＴとの相対的な距離や角度などに基づいて求めた読み取り状態とを関連付けて記憶データ１５として記憶部１３に保持し、そのデータを出力部１４により出力することができる。そして、出力される読み取り状態には、個人識別情報として表示される作業者が、２次元コードの読み取り作業をする場合の２次元コードに対するＨＨＴの対向のさせ方の改善指針の情報が含まれる。例えば、２次元コードとＨＨＴとの距離が設計値より離れている場合には出力値はプラスの値となり、距離が大きくなる程その絶対値は大きくなる。従って、プラスの値が示された場合には、２次元コードとＨＨＴの距離を短くすれば良い事がわかる。同様に、ＨＨＴの読み取り角度が２次元コードに対して水平の設計位置から外れている場合は、角度に関する読み取り情報の値が大きく出力される。
【００４３】
以上により、本実施の形態のＨＨＴによれば、各作業者の読み取り作業に対する改善指針を示すことができる。
【００４４】
さらに、繰り返して２次元コードの読み取りを行い、出力された読取状態を複数収集してパソコンなどに入力し、その入力情報に基づいて読取状態の平均値演算など統計処理させることで、個人識別情報で示される作業者の全般的な作業傾向を考慮した改善指針を把握することができ、また、この統計処理された結果を作業者に通知することで、作業者が適切な読み取り位置を効率的に学習することが可能となる。
【００４５】
そして、作業の管理者は、各作業者の読み取り作業の習熟度を把握することができるようになり、かつ、読取状態がより直接的に数値データ化され、より客観的かつ詳細に読み取り状態が把握できるようになる。
【００４６】
また、各作業者の読み取り作業に対する改善指針が把握できるようになる為、作業者が適切な読み取り位置を効率的に学習することができる。
【００４７】
（実施の形態２）
本実施の形態のＨＨＴについて、図１と図３を用いて説明する。図３は、本実施の形態のＨＨＴにおける２次元コードの読み取り手順についてのフローチャートである。なお、本実施の形態において実施の形態１と同様の箇所については同一の符号を付して詳細な説明を省略する。実施の形態１と異なるのは、外部機器であるパソコンなどを用いることなくＨＨＴ内で統計処理を行う点と、記憶部１３をＨＨＴに対して着脱可能とした点と、複数の作業者の読取状態を記憶して統計処理を行うようにした点などである。
【００４８】
まず、ＨＨＴ内で読み取り状態を統計処理する場合について説明する。
【００４９】
２次元コード読み取り部１０と、解析部１１と、記憶部１３の各処理を複数回行うことで２次元コードの読み取りを複数回行い、各読み取り作業に対する読取状態を入力部１２により入力された個人識別情報に対応付けて記憶データ１５として記憶部１３に保持する（ステップ１０４）。そして、２次元コードの読み取り作業が終了し（ステップ１０５）、その後にＨＨＴに設けられた統計処理開始キー（図示せず）を押下して統計処理の開始を指示して統計処理を行わせる場合（ステップ１０６）、演算条件入力部１７により演算条件が入力され（ステップ１０７）、その後演算部１６は記憶データ１５として記憶部１３に保持された複数の読取状態について平均値演算などの統計処理を行い（ステップ１０８）、その演算結果を記憶データ１５として記憶部１３に追加保存する（ステップ１１０）。その後、記憶データ１５として記憶部１３に保存されている個人識別情報と複数の読取状態および統計処理結果をＨＨＴに設けられた出力部１４の一例であるＬＣＤに表示する（ステップ１１１）。
【００５０】
すなわち、本実施の形態のＨＨＴは、２次元コードを複数回読み取った時の読み取り状態を演算部１６により統計処理し、その統計処理した結果と入力部１２で入力した個人識別情報を関連付けて記憶データ１５として記憶部１３に保持して出力部１４により出力するものである。
【００５１】
このように、ＨＨＴ内部で読取状態の統計処理を行うことで、外部のパソコン等での統計処理を行うことなしに各作業者の読み取り作業の習熟度を把握することができるようになる。
【００５２】
そして、各作業者の読み取り作業に対する改善指針が把握できるようになり、作業者が適切な読み取り位置を効率的に学習することが可能となる。
【００５３】
次に、記憶データ１５を記憶する記憶部１３を、ＨＨＴに対して着脱可能なメモリカードとした場合について説明する。
【００５４】
記憶部１３はＨＨＴに対して着脱可能なメモリカードとして実現され、演算部１６は、記憶部１３に対して記憶データ１５を読み書きする機能を備えている。
【００５５】
すなわち、記憶部１３は、２次元コードを読み取った時の読み取り状態と、入力部１２で入力した個人識別情報とを関連付けて記憶する（ステップ１０４）とともに、ＨＨＴに対して着脱可能となっている。
【００５６】
また、ＨＨＴは、２次元コードを複数回読み取った時の各読み取り状態を演算部１６で統計処理し、その結果と個人識別情報と関連付けて着脱可能とした記憶部１３に保持し（ステップ１１０）、その結果を出力部１４により出力することができる（ステップ１１１）。
【００５７】
従って、個人識別情報を入力してから２次元コードの読み取り作業を行い、読み取り状態を解析して記憶部１３に記憶し、演算部１６により読取状態の統計処理を行った後にこれらの結果を着脱可能なメモリカードで実現される記憶部１３に記憶する。その後、着脱可能な記憶部１３をＨＨＴから取り外し、前記ＨＨＴとは異なる別の第２のＨＨＴに装着した場合、この第２のＨＨＴ上で、前記記憶部１３に保持された記憶データ１５を読み出して、２次元コードの読み取り作業、読み取り状態の解析保存、読取状態の統計処理の一連の作業を継続することが可能となる。
【００５８】
また、２次元コードの読み取り作業者各自が、１枚づつ記憶部１３の一例であるＨＨＴに着脱可能なメモリカードを保有しておけば、運用システム上の複数の工程毎に設置された複数のＨＨＴを使用する場合、作業に使用するＨＨＴに各自のメモリカードを装着してから２次元コードの読み取り作業を行うようにすれば、各読み取り作業者の読取状態データを継続して蓄積することが可能となる。
【００５９】
さらに、記憶データ１５を保持した記憶部１３の一例であるメモリカードをＨＨＴから取り外し、パソコンなどに装着して統計処理を行うことで、読取状態のより高度な統計処理を容易に実現することも可能となる。
【００６０】
以上により、各作業者の読み取り作業の習熟度を把握することができるようになる。
【００６１】
さらに、作業するＨＨＴの個体が変わっても、各読み取り作業者の読取状態データを継続して蓄積することが可能となり、作業者が適切な読み取り位置をより効率的に学習することが可能となる。
【００６２】
次に、記憶部１３に記憶されている記憶データ１５について演算対象とする範囲を決定して演算部１６で演算を行い、その演算結果を出力する場合について説明する。
【００６３】
演算条件入力部１７は、演算部１６が行う記憶部１３に記憶されている統計処理の対象範囲を入力するものであり（ステップ１０７）、演算部１６は記憶データ１５として記憶部１１３に保存されている２次元コードを複数回読み取った全読取状態のうち、前記対象範囲で指定された読取状態についてのみ統計処理を行い（ステップ１０８）、その統計処理した結果と入力部１２で入力した個人識別情報とを関連付けて記憶データ１５として記憶部１３に保持し（ステップ１１０）、その結果を出力部１４により出力させることができる（ステップ１１１）。
【００６４】
例えば、演算条件入力部１７による入力される対象範囲として、取得した複数の読取状態のうち、ｎ個目からｍ個目までの読取状態を指定する形式にすれば、指定した範囲に対応する期間の読取状態の平均値を演算し、前記指定期間に関する読み取りの習熟度を把握することができる。
【００６５】
同様に、最新の１０個の読取状態を指定すれば、最近の２次元コードの読み取り作業の読み取り習熟度を把握することもできる。また、個人識別情報として表示される作業者の読み取り習熟度の時系列変化も容易に把握可能となる。
【００６６】
以上により、各作業者の読み取り作業の習熟度を把握することができるようになる。
【００６７】
さらに、個人識別情報として表示される作業者の指定期間における読み取り習熟度や、読み取り習熟度の時系列変化も容易に把握することが可能となる。また、作業者が適切な読み取り位置をより効率的に学習することが可能となる。
【００６８】
次に、複数の作業者による複数の読取状態を記憶し、個々の作業者について読取状態に関する統計処理結果を出力する場合について説明する。
【００６９】
入力部１２は、作業者がＨＨＴを使用する度に、作業の最初に個人識別情報を入力し、記憶部１３は入力部１２で入力された複数の個人識別情報を記憶データ１５として保持する（ステップ１０１）。また、記憶部１３は、複数の個人識別情報に対応付けて複数の読取状態を記憶データ１５として保持し（ステップ１０４）、演算部１６により前記複数の個人識別情報毎に対応付けて複数の読取状態を統計処理し（ステップ１０８）、その演算結果を前記複数の個人識別情報毎に記憶データ１５として追加保持し（ステップ１１０）、個人毎に出力部１４により出力する（ステップ１１１）。
【００７０】
このように、記憶部１３に記憶した読取状態を、出力部１４により出力させることができるので、各作業者の読み取り作業の習熟度を把握することができるようになる。
【００７１】
さらに、複数の個々人の読み取り習熟度や改善指針をまとめて管理、把握することができ、複数の作業者が一度に適切な読み取り位置をより効率的に学習することが可能となる。
【００７２】
次に、複数の作業者による読取状態を記憶し、一人の作業者について読取状態に関する統計処理結果を出力する場合について説明する。
【００７３】
演算条件入力部１７により演算部１６で統計処理を行う対象者を入力し（ステップ１０７）、演算部１６は２次元コードの各読み取り状態のうち、前記対象者が読み取った時の読み取り状態についてのみ統計処理を行い（ステップ１０８）、その統計処理した結果と入力部１２で入力した個人識別情報とを関連付けて記憶データ１５として記憶部１３に追加保持し（ステップ１１０）、出力部１４により指定した作業者の識別情報と読取状態および統計処理結果を出力することができる（ステップ１１１）。
【００７４】
例えば、演算条件入力部１７にて作業者Ａを入力すれば、取得した記憶データ１５のうち、作業者Ａが作業した場合の読取状態の平均値を演算し、作業者Ａの読み取り習熟度を把握することができる。
【００７５】
また、演算条件入力部１７にて読み取り習熟度が同程度の作業者Ａと作業者Ｂを入力すれば、取得した読取状態の記憶データ１５のうち、作業者Ａおよび作業者Ｂが作業した場合の両者の読取状態全部の平均値を演算し、作業者Ａと作業者Ｂとのトータルの読み取り習熟度を把握することができる。すなわち、前記の読み取り習熟度を元に、システム運用上の２次元コードの貼り付け位置や高さ、また作業環境である照明位置や照度などからなる作業パラメータの影響を評価することができる。
【００７６】
例えば、２次元コードを箱の上面に貼り付けた場合と箱の側面に貼り付けた場合との複数作業者の読み取り習熟度を本ＨＨＴにより測定し、より読み取り状態が良くなる方法で２次元コードを貼り付けるようにすれば、より効率的な運用システムになる。すなわち、運用システムの作業パラメータの最適化が可能となる。
【００７７】
従って、各作業者の読み取り作業の習熟度を把握することができるようになるとともに、運用システムの作業パラメータの最適化を容易に行うことが可能となる。
【００７８】
なお、実施の形態１および実施の形態２において図面に沿って説明したが、上記実施の形態において示された事項に限定されるものではなく、特許請求の範囲及び発明の詳細な説明の記載、並びに周知の技術に基づいて、当業者がその変更・応用を行う事ができる範囲が含まれる。
【００７９】
また、上記実施の形態において、出力部１４はＨＨＴの表示装置であるＬＣＤに限定されるものではなく、ＰＤＰ（Ｐｌａｓｍａ  Ｄｉｓｐｌａｙ  Ｐａｎｅｌ）、ＣＲＴ（Ｃａｔｈｏｄｅ  Ｒａｙ  Ｔｕｂｅ）、ＬＥＤ（Ｌｉｇｈｔ  Ｅｍｉｔｔｉｎｇ  Ｄｉｏｄｅ）等の周知の表示手段を用いる事ができる。
【００８０】
また、ＨＨＴに有線や無線を用いた通信機能を設け、ＨＨＴから外部の機器に記憶部１３に記憶している情報を出力するようにしてもよい。
【００８１】
また、上記実施の形態において、携帯可能なＨＨＴについて説明したが、読取装置を固定式とし、読み取り対象を移動させて読み取らせる場合にもおいても、読み取り状態を統計処理することで各作業者の読み取り作業の習熟度を把握することができる。
【産業上の利用可能性】
【００８２】
本発明の携帯型光学情報読取装置は、各使用者の読み取り作業の習熟度を把握することができると共に、各作業者の読み取り作業に対する改善指針が把握できるようになるため、各使用者が適切な読み取り位置を効率的に見つけ、学習することが可能となり、携帯型光学情報読取装置等として産業上有用である。
【図面の簡単な説明】
【００８３】
【図１】本発明の携帯型光学情報読取装置の構成を示すブロック図
【図２】本発明の携帯型光学情報読取装置における２次元コードの読み取り手順を示すフローチャート
【図３】本発明の携帯型光学情報読取装置における２次元コードの読み取り手順を示すフローチャート
【図４】従来の携帯型光学情報読取装置の構成を示すブロック図
【符号の説明】
【００８４】
１０  ２次元コード読み取り部
１１  解析部
１２  入力部
１３  記憶部
１４  出力部
１５  記憶データ
１６  演算部
１７  演算条件入力部
【図１】
2005284801.tif 000003
【図２】
2005284801.tif 000004
【図３】
2005284801.tif 000005
【図４】
2005284801.tif 000006